(57)【要約】【課題】テレビジョン受像機において、複数の映像を同時に表示しているときに、ユーザによるＨＤＭＩ機器の操作の手間を低減する。【解決手段】ＴＶ受像機は、ＨＤＭＩ−ＣＥＣ規格に対応しており、複数の映像を含む重畳映像を表示可能である。ＴＶ受像機は、ＴＶ番組の映像と、ＤＶＤプレーヤから供給された映像とを含む重畳映像をディスプレイに表示しているときに、映像選択カーソルＣで、ＤＶＤプレーヤの映像が選択された場合、ＤＶＤプレーヤから供給される音声のみをスピーカから出力する。そして、ＴＶ受像機は、ＤＶＤプレーヤとの機器間認証等を行うことにより、ＤＶＤプレーヤをＣＥＣコマンドによる制御可能状態にする。一方、映像選択カーソルＣで、ＴＶ番組の映像が選択された場合、ＴＶ番組の音声をスピーカから出力する。このとき、ＤＶＤプレーヤは、ＣＥＣコマンドによる制御可能状態にはしない。【選択図】図３
2012095122.tif 000002
【特許請求の範囲】
【請求項１】
制御プロトコルに基づく制御コマンドを送受信し、コンテンツの映像及び音声を供給する映像音声出力機器と接続され、
前記映像音声出力機器に対して、前記制御コマンドの送受信を行う通信手段と、
放送局から配信されるテレビジョン番組を受信する受信手段と、
前記受信手段によって受信されたテレビジョン番組の映像と、前記映像音声出力機器から供給された映像とを同時に表示可能である表示手段と、
前記受信手段によって受信されたテレビジョン番組の音声と、前記映像音声出力機器から供給された音声とを出力する音声出力手段と、
装置各部を制御する制御手段とを備えるテレビジョン受像機において、
前記表示手段に表示される複数の映像のうちの１つを選択する映像選択手段をさらに備え、
前記制御手段は、
前記表示手段に、前記受信手段によって受信されたテレビジョン番組の映像と、前記映像音声出力機器から供給された映像とが同時に表示されているときに、
前記映像選択手段によって、前記映像音声出力機器から供給された映像が選択された場合、該映像音声出力機器から供給される音声を前記音声出力手段から出力すると共に、前記通信手段を用いて、該映像音声出力機器と通信を行い、
前記映像選択手段によって、前記受信手段によって受信されたテレビジョン番組の映像が選択された場合、該テレビジョン番組の音声を前記音声出力手段から出力することを特徴とするテレビジョン受像機。
【請求項２】
複数の前記映像音声出力機器と接続され、
前記表示手段は、複数の前記映像音声出力機器のそれぞれから供給された映像を同時に表示でき、
前記制御手段は、
前記表示手段に、前記複数の映像音声出力機器のそれぞれから供給された映像が同時に表示されているときに、前記映像選択手段によって、該複数の映像音声出力機器から供給される映像のうちの１つが選択された場合、該映像選択手段によって選択された映像を供給する前記映像音声出力機器から供給される音声を前記音声出力手段から出力すると共に、前記通信手段を用いて、該選択された映像音声出力機器と通信を行うことを特徴とする請求項１に記載のテレビジョン受像機。
【請求項３】
前記制御プロトコルは、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）−ＣＥＣ（Ｃｏｎｓｕｍｅｒ  Ｅｌｅｃｔｒｏｎｉｃｓ  Ｃｏｎｔｒｏｌ）であることを特徴とする請求項１又は２に記載のテレビジョン受像機。
【発明の詳細な説明】
【技術分野】
【０００１】
本発明は、複数の映像を同時に表示可能であり、ＨＤＭＩ−ＣＥＣ（Ｈｉｇｈ  Ｄｅｆｉｎｉｔｉｏｎ  Ｍｕｌｔｉｍｅｄｉａ  Ｉｎｔｅｒｆａｃｅ−Ｃｏｎｓｕｍｅｒ  Ｅｌｅｃｔｒｏｎｉｃｓ  Ｃｏｎｔｒｏｌ）規格に対応したテレビジョン受像機に関する。
【背景技術】
【０００２】
近年、ＰｉｎＰ（Ｐｉｃｔｕｒｅ  ｉｎ  Ｐｉｃｔｕｒｅ）機能等により、複数の映像を１つのディスプレイに同時に表示可能であるテレビジョン（以下、ＴＶという）受像機が知られている。
【０００３】
ところで、近年、ＨＤＭＩ規格に対応した外部機器（以下、ＨＤＭＩ機器という）を接続可能なＴＶ受像機が普及している。ＨＤＭＩ機器とＴＶ受像機とは、ＨＤＭＩケ−ブルを介して接続され、各機器は互いに制御信号（以下、ＣＥＣコマンドという）によって他の接続機器の動作を制御することが可能である。この種のＴＶ受像機の中には、上述したＰｉｎＰ機能等により、ＨＤＭＩ機器から供給される映像と、チューナ部から受信したＴＶ番組の映像とを１つのディスプレイに同時に表示可能なものがある。
【０００４】
ところで、この種のＴＶ受像機では、チューナ部から受信したＴＶ番組の映像、又はビデオ端子から外部入力された映像と、ＨＤＭＩ機器から供給された映像とを１つのディスプレイに同時に表示させた場合、ＨＤＭＩ機器をＣＥＣコマンドで制御できないことがある。すなわち、ＨＤＭＩ機器から供給された映像をディスプレイに表示しているにも係わらず、ＴＶ受像機からＨＤＭＩ機器を制御できない。
【０００５】
上記問題に対して、外部入力ソースをＨＤＭＩ機器に切り替えることにより、ＨＤＭＩ機器をＣＥＣコマンドで制御できるＴＶ受像機が知られている。しかしながら、このＴＶ受像機では、２つの映像を同時にディスプレイに表示しない状態、すなわち、ＨＤＭＩ機器から供給される映像のみを表示する状態に切り替えた後に、ＴＶ受像機からＨＤＭＩ機器が制御可能となる。従って、ＴＶ受像機からＨＤＭＩ機器を制御した後に、再度、２つの映像を同時にディスプレイに表示する指示操作を行わなければならず、ユーザにとって手間が掛かり、操作が煩雑である。
【０００６】
これに対して、特許文献１には、複数の入力ソースの入力画像を同時に表示する制御を行う複数画面表示制御手段と、外部機器からＣＥＣコマンドを使用して送信された画面開始コマンドを検出するコマンド検出手段とを備え、コマンド検出手段で画面開始コマンドを検出した場合、その外部機器から出力された設定画面画像をサブ画面で追加表示する制御を行うテレビジョン受像機が開示されている。しかしながら、このテレビジョン受像機では、複数の画面を表示しているときに、ＣＥＣコマンドによる外部機器の制御を行うことができないため、上記問題を解決できない。
【０００７】
ところで、特許文献２には、音声信号出力端子の音声出力のＯＮ／ＯＦＦの設定値とＨＤＭＩ出力端子の音声出力のＯＮ／ＯＦＦの設定値とに基づいて、スピーカシステムが接続された音声信号出力端子への音声信号の出力のＯＮ／ＯＦＦと、シンク装置が接続されたＨＤＭＩ出力端子への音声信号の出力のＯＮ／ＯＦＦとの切り換えを行うリピータ装置が開示されている。しかしながら、このリピータ装置では、上記問題を解決できない。
【先行技術文献】
【特許文献】
【０００８】
【特許文献１】特開２００９−１８８８６４号公報
【特許文献２】特開２００８−１０９３４２号公報
【特許文献３】特開２００７−１８０７４５号公報
【発明の概要】
【発明が解決しようとする課題】
【０００９】
本発明は、上述した問題点を解決するためになされたものであり、複数の映像を同時に表示しているときに、ユーザによるＨＤＭＩ機器の操作の手間を低減することができるテレビジョン受像機を提供することを目的とする。
【課題を解決するための手段】
【００１０】
上記目的を達成するために請求項１の発明は、制御プロトコルに基づく制御コマンドを送受信し、コンテンツの映像及び音声を供給する映像音声出力機器と接続され、前記映像音声出力機器に対して、前記制御コマンドの送受信を行う通信手段と、放送局から配信されるテレビジョン番組を受信する受信手段と、前記受信手段によって受信されたテレビジョン番組の映像と、前記映像音声出力機器から供給された映像とを同時に表示可能である表示手段と、前記受信手段によって受信されたテレビジョン番組の音声と、前記映像音声出力機器から供給された音声とを出力する音声出力手段と、装置各部を制御する制御手段とを備えるテレビジョン受像機において、前記表示手段に表示される複数の映像のうちの１つを選択する映像選択手段をさらに備え、前記制御手段は、前記表示手段に、前記受信手段によって受信されたテレビジョン番組の映像と、前記映像音声出力機器から供給された映像とが同時に表示されているときに、前記映像選択手段によって、前記映像音声出力機器から供給された映像が選択された場合、該映像音声出力機器から供給される音声を前記音声出力手段から出力すると共に、前記通信手段を用いて、該映像音声出力機器と通信を行い、前記映像選択手段によって、前記受信手段によって受信されたテレビジョン番組の映像が選択された場合、該テレビジョン番組の音声を前記音声出力手段から出力するものである。
【００１１】
また、請求項２の発明は、請求項１に記載のテレビジョン受像機において、複数の前記映像音声出力機器と接続され、前記表示手段は、複数の前記映像音声出力機器のそれぞれから供給された映像を同時に表示でき、前記制御手段は、前記表示手段に、前記複数の映像音声出力機器のそれぞれから供給された映像が同時に表示されているときに、前記映像選択手段によって、該複数の映像音声出力機器から供給される映像のうちの１つが選択された場合、該映像選択手段によって選択された映像を供給する前記映像音声出力機器から供給される音声を前記音声出力手段から出力すると共に、前記通信手段を用いて、該選択された映像音声出力機器と通信を行うものである。
【００１２】
また、請求項３の発明は、請求項１又は２に記載のテレビジョン受像機において、前記制御プロトコルは、ＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）−ＣＥＣ（Ｃｏｎｓｕｍｅｒ  Ｅｌｅｃｔｒｏｎｉｃｓ  Ｃｏｎｔｒｏｌ）である。
【発明の効果】
【００１３】
請求項１の発明によれば、表示手段に、テレビジョン番組の映像と映像音声出力機器から供給された映像とが同時に表示されているときに、映像音声出力機器から供給された映像が選択された場合、映像音声出力機器から供給される音声を出力すると共に、映像音声出力機器と通信を行う。そのため、テレビジョン番組の映像と、映像音声出力機器の映像とを同時に表示している場合であっても、ユーザが映像音声出力機器から供給された映像を選択するだけで、テレビジョン受像機が制御コマンドを用いて映像音声出力機器と通信できるため、ユーザは、映像音声出力機器を操作する際の手間を低減できる。
【００１４】
また、映像音声出力機器から供給された映像が選択されると、映像出力機器の音声を出力し、テレビジョン番組の映像が選択されると、このテレビジョン番組の音声を出力するので、ユーザは、同時に表示されている２つの映像のうちの所望の映像の音声を容易に出力させることができる。
【００１５】
請求項２の発明によれば、表示手段に、複数の映像音声出力機器のそれぞれから供給された映像が同時に表示されているときに、複数の映像音声出力機器から供給される映像のうちの１つが選択された場合、選択された映像を供給する前記映像音声出力機器から供給される音声を出力すると共に、選択された映像音声出力機器と通信を行う。そのため、複数の映像音声出力機器から供給される映像を同時に表示している場合であっても、いずれかの映像を選択するだけで、その映像を供給する映像音声出力機器と通信できるので、ユーザは、映像音声出力機器を操作する際の手間を低減できる。
【００１６】
また、複数の映像音声出力機器から供給される映像のうちの１つが選択されると、選択された映像を供給する映像音声出力機器から供給される音声を出力するので、ユーザは、同時に表示されている２つの映像のうちの所望の映像の音声を容易に出力させることができる。
【図面の簡単な説明】
【００１７】
【図１】本発明の一実施形態に係るＴＶ受像機と、このＴＶ受像機に接続されるＤＶＤプレーヤ及びＨＤＤレコーダと、このＴＶ受像機を操作するためのリモコンとを含むネットワークシステムの概略構成図。
【図２】上記ＴＶ受像機の内部構成を示すブロック図。
【図３】上記ＴＶ受像機のディスプレイに表示される重畳映像の一例を示す説明図。
【図４】上記ＴＶ受像機のディスプレイに表示される重畳映像の一例を示す説明図。
【図５】上記ＴＶ受像機における重畳映像表示モード時の制御処理の手順を示すフローチャート。
【図６】上記ＴＶ受像機における重畳映像表示モード時の制御処理の手順を示すフローチャート。
【発明を実施するための形態】
【００１８】
以下、本発明の一実施形態に係るテレビジョン受像機について、図１乃至図４を参照して説明する。図１は、本実施形態のテレビジョン（以下、ＴＶという）受像機１と、このＴＶ受像機１を操作するリモコン（映像選択手段）２と、このＴＶ受像機１に接続されたＤＶＤ（Ｄｉｇｉｔａｌ  Ｖｅｒｓａｔｉｌｅ  Ｄｉｓｃ）プレーヤ４１及びハードディスク（以下、ＨＤＤという）レコーダ４２とを含むネットワークシステム１００の概略構成を示す。図２は、ＴＶ受像機１の内部構成を示す。図３は、ＴＶ受像機１のディスプレイ１３に表示される映像の一例を示し、図４は、ＴＶ受像機１のディスプレイ１３に表示される映像の別の一例を示す。
【００１９】
ＴＶ受像機１、ＤＶＤプレーヤ４１、及びＨＤＤレコーダ４２は、いずれもＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）規格に対応した機器であり、ＨＤＭＩ−ＣＥＣ（Ｃｏｎｓｕｍｅｒ  Ｅｌｅｃｔｒｏｎｉｃｓ  Ｃｏｎｔｒｏｌ）規格に基づくＣＥＣコマンドと、ＣＥＣコマンドに対するレスポンスデータとを送受信可能である。ＤＶＤプレーヤ４１は、ＨＤＭＩケーブル３１を介してＴＶ受像機１と接続され、ＨＤＤレコーダ４２は、ＨＤＭＩケーブル３２を介してＴＶ受像機１と接続されている。
【００２０】
ＨＤＭＩケーブル３１、３２は、映像信号及び音声信号等の伝送ラインであるＴＭＤＳ（Ｔｒａｎｓｉｔｉｏｎ  Ｍｉｎｉｍｉｚｅｄ  Ｄｉｆｆｅｒｅｎｔｉａｌ  Ｓｉｎｇｎａｌｉｎｇ）ラインと、制御コマンド（ＣＥＣコマンド）を双方向に伝送する伝送ラインであるＣＥＣラインとを含むものである。
【００２１】
ＤＶＤプレーヤ４１は、ＤＶＤディスクのコンテンツを再生して、そのコンテンツの映像信号及び音声信号を、ＨＤＭＩケーブル３１のＴＭＤＳラインを介して、ＴＶ受像機１に供給する。ＴＶ受像機１は、ＤＶＤプレーヤ４１から供給された映像信号に基づく映像及び音声信号に基づく音声を出力できる。ＨＤＤレコーダ４２は、ＨＤＤレコーダ４２内に録画されたＴＶ番組等のコンテンツを再生して、そのコンテンツの映像信号及び音声信号を、ＨＤＭＩケーブル３２のＴＭＤＳラインを介して、ＴＶ受像機１に供給する。ＴＶ受像機１は、ＨＤＤレコーダ４２から供給された映像信号に基づく映像及び音声信号に基づく音声を出力できる。
【００２２】
ＴＶ受像機１は、図２に示すように、アンテナ１１に接続され、デジタル放送信号を受信するデジタルチューナ部（受信手段）１２と、映像を表示するディスプレイ（表示手段）１３と、音声を出力するスピーカ（音声出力手段）１４と、リモコン２から送信されるリモコン信号を受信するリモコン信号受信部１５とを備える。また、ＴＶ受像機１は、ＨＤＭＩ規格に対応した外部機器を接続するためのＨＤＭＩ端子ユニット１６と、各種情報を記憶したメモリ１７と、装置各部を制御するための制御用マイコン（制御手段）１８とをさらに備える。
【００２３】
リモコン２は、ユ−ザによって操作される複数の操作ボタン（図示せず）を有し、ＴＶ受像機１に対してユーザによる操作に応じたリモコン信号を送信する。具体的には例えば、ユ−ザによるチャンネルの選局や、映像及び音声の出力元（入力ソース）の切り替え、後述するディスプレイに表示される複数の映像のうちの１つの選択等の指示操作が行なわれると、リモコン２は、これらを指示するためのリモコン信号をＴＶ受像機１に送信する。
【００２４】
デジタルチューナ部１２は、デコ−ダ１２ａを有し、アンテナ１１を介して、放送局から配信される各チャンネルのデジタル放送信号を受信する。デコ−ダ１２ａは、例えばＭＰＥＧ−２方式やＨ．２６４規格等で符号化されたＴＶ番組のデジタル放送信号を復号して、復号したＴＶ番組の映像信号及び音声信号を制御用マイコン１８に出力する。
【００２５】
ディスプレイ１３は、デジタルチューナ部１２によって受信されたＴＶ番組の映像を表示する。また、ディスプレイ１３は、デジタルチューナ部１２によって受信されたＴＶ番組の映像と、ＤＶＤプレーヤ４１やＨＤＤレコーダ４２から供給された映像とを同時に表示可能である。具体的には、図３に示すように、ディスプレイ１３の表示領域Ａ１にＴＶ番組の映像を表示し、同時に表示領域Ａ２にＤＶＤプレーヤ４１から供給された映像を表示する、重畳映像を表示可能である。図３中のＣは、映像選択カーソルを示す。映像選択カーソルＣは、ユーザによって操作され、重畳映像に含まれる複数の映像のうちの１つの選択を行うためのものである。図３では、映像選択カーソルＣによってＤＶＤプレーヤ４１の映像が選択されている状態を示す。
【００２６】
また、ディスプレイ１３は、ＤＶＤプレーヤ４１及びＨＤＤレコーダ４２から供給された映像のそれぞれを同時に表示可能である。具体的には、図４に示すように、ディスプレイ１３の表示領域Ａ１にＤＶＤプレーヤ４１から供給された映像を表示し、同時に表示領域Ａ２にＨＤＤレコーダ４２から供給された映像を表示する、重畳映像も表示可能である。図４では、映像選択カーソルＣによってＨＤＤレコーダ４２の映像が選択されている状態を示す。
【００２７】
スピーカ１４は、デジタルチューナ部１２によって受信されたＴＶ番組の音声や、ＤＶＤプレーヤ４１から供給された音声や、ＨＤＤレコーダ４２から供給された音声を出力する。リモコン信号受信部１５は、リモコン２から送信されるリモコン信号を受信して、制御用マイコン１８に出力する。
【００２８】
ＨＤＭＩ端子ユニット１６は、第１ＨＤＭＩ端子１６ａと第２ＨＤＭＩ端子１６ｂとを有する。第１ＨＤＭＩ端子１６ａには、ＤＶＤプレーヤ４１と接続されたＨＤＭＩケーブル３１の一端が接続されており、第２ＨＤＭＩ端子１６ｂには、ＨＤＤレコーダ４２と接続されたＨＤＭＩケーブル３２の一端が接続されている。メモリ１７は、制御用マイコン１８を動作させるためのプログラム１７ａを記憶している。
【００２９】
制御用マイコン１８は、重畳映像生成部１８ａと、映像出力部１８ｂと、音声選択出力部１８ｃと、選択映像検出部１８ｄと、ＨＤＭＩ通信部１８ｅとを有し、ユーザによるリモコン２の操作に基づいて自装置の制御処理を行う。制御用マイコン１８による動作モードには、ディスプレイ１３上にデジタルチューナ部１２によって受信されたＴＶ番組を表示する動作モードであるＴＶ番組表示モードや、ディスプレイ１３上に重畳映像を表示する動作モードである重畳映像表示モードを含む複数の動作モードが含まれる。ユーザは、リモコン２を操作することにより、各動作モードを選択可能である。
【００３０】
重畳映像生成部１８ａは、複数の映像を組合せた重畳映像の映像信号（以下、重畳映像信号という）を生成するものである。具体的には例えば、重畳映像生成部１８ａは、デジタルチューナ部１２によって受信されたＴＶ番組の映像と、ＤＶＤプレーヤ４１から供給された映像とを組合わせた重畳映像信号を生成する。生成された重畳映像信号は、映像出力部１８ｂに出力される。重畳映像として組合わせる映像は、ユーザがリモコン２を操作することにより選択可能である。
【００３１】
映像出力部１８ｂは、デジタルチューナ部１２によって受信されたＴＶ番組の映像に基づく映像信号や、ＨＤＭＩ端子ユニット１６を介してＤＶＤプレーヤ４１やＨＤＤレコーダ４２から供給されたコンテンツの映像に基づく映像信号をディスプレイ１３に出力する。また、映像出力部１８ｂは、重畳映像表示モードで動作しているとき、重畳映像生成部１８ａにより生成された重畳映像信号を受信して、この重畳映像信号をディスプレイ１３に出力する。
【００３２】
音声選択出力部１８ｃは、スピーカ１４から出力する音声を選択して、選択した音声に基づく音声信号をスピーカ１４に出力する。具体的には、音声選択出力部１８ｃは、デジタルチューナ部１２によって受信されたＴＶ番組の音声信号、ＤＶＤプレーヤ４１から供給された音声信号、及びＨＤＤレコーダ４２から供給された音声信号のうちのいずれかをスピーカ１４に出力させるか選択し、選択した音声信号をスピーカ１４に出力する。音声選択出力部１８ｃが選択する音声は、ユーザがリモコン２を操作することにより選択可能である。
【００３３】
選択映像検出部１８ｄは、重畳映像表示モードで動作しており、ディスプレイ１３に重畳映像が表示されている際に、重畳映像に含まれる複数の映像のうち、映像選択カーソルＣで選択されている映像を検出するものである。
【００３４】
ＨＤＭＩ通信部１８ｅは、ＤＶＤプレーヤ４１及びＨＤＤレコーダ４２に対して、ＨＤＭＩ−ＣＥＣ規格に基づくＣＥＣコマンド及びレスポンスデータを送受信する処理（以下、ＨＤＭＩ通信処理という）を行う。ＣＥＣコマンドは、ＤＶＤプレーヤ４１及びＨＤＤレコーダ４２に対して、再生、停止、早送り、及び巻戻し等を指示ものである。具体的には例えば、ＤＶＤプレーヤ４１にＤＶＤコンテンツの再生を指示する場合、ＨＤＭＩ通信部１８ｅは、ＴＶ受像機１とＤＶＤプレーヤ４１との機器間認証等を行うことにより、ＣＥＣコマンドの送受信可能状態（以下、制御可能状態という）にした後、ＨＤＭＩケーブル３１のＣＥＣラインを介して、ＤＶＤプレーヤ４１に、ＤＶＤコンテンツの再生を指示するＣＥＣコマンドを送信する。そして、ＤＶＤプレーヤ４１がこのＣＥＣコマンドを受信した後、ＤＶＤコンテンツを再生し、再生したコンテンツの映像信号及び音声信号を、ＨＤＭＩケーブル３１のＴＭＤＳラインを介してＴＶ受像機１に送信する。そして、ＨＤＭＩ通信部１８ｅは、ＤＶＤプレーヤ４１から送信された映像信号及び音声信号を受信する。
【００３５】
次に、重畳映像表示モード時における制御用マイコン１８の制御処理の手順について、前出の図３、及び図５を参照して説明する。図５は、重畳映像表示モード時において、ＴＶ番組の映像とＤＶＤプレーヤ４１の映像とを組合せた重畳映像をディスプレイ１３に表示する際の制御用マイコン１８の制御処理の手順を示すフローチャートである。
【００３６】
まず、前出の図３に示すように、デジタルチューナ部１２によって受信されたＴＶ番組の映像と、ＤＶＤプレーヤ４１から供給された映像とを含む重畳映像をディスプレイ１３に表示しているとき（Ｓ１）、ユーザがリモコン２を操作することにより、映像選択カーソルＣを用いて、ＴＶ番組の映像、又はＤＶＤプレーヤ４１から供給された映像のいずれかを選択する（Ｓ２）。
【００３７】
上記Ｓ２において、ユーザが、映像選択カーソルＣでＤＶＤプレーヤ４１の映像を選択した場合（Ｓ３でＹＥＳ）、制御用マイコン１８は、音声選択出力部１８ｃを用いて、ＤＶＤプレーヤ４１から供給される音声のみをスピーカ１４から出力する（Ｓ４）。そして、制御用マイコン１８は、ＨＤＭＩ通信部１８ｅを用いて、ＴＶ受像機１とＤＶＤプレーヤ４１との機器間認証等を行うことにより、ＣＥＣコマンドによるＨＤＭＩ通信の有効化処理を行う。すなわち、ＤＶＤプレーヤ４１をＣＥＣコマンドによる制御可能状態にする（Ｓ５）。
【００３８】
一方、上記Ｓ２において、ユーザが、映像選択カーソルＣでＴＶ番組の映像を選択した場合（Ｓ３でＮＯ、Ｓ６）、制御用マイコン１８は、音声選択出力部１８ｃを用いて、デジタルチューナ部１２によって受信されたＴＶ番組の音声をスピーカから出力する（Ｓ７）。すなわち、この場合は、上記Ｓ４及びＳ５の処理を行わないため、ＤＶＤプレーヤ４１は、ＣＥＣコマンドによるＨＤＭＩ通信の有効化処理を行わない。すなわち、ＣＥＣコマンドによる制御可能状態にしない。なお、ＴＶ番組の映像と、ＨＤＤレコーダ４２から供給された映像とを含む重畳映像をディスプレイ１３に表示する場合も本処理と同様であり、映像選択カーソルＣで、ＨＤＤレコーダ４２の映像が選択された場合、スピーカ１４からＨＤＤレコーダ４２の音声を出力し（上記Ｓ４に相当）、ＨＤＤレコーダ４２を、ＴＶ受像機１からＣＥＣコマンドによる制御可能状態とする（上記Ｓ５に相当）。
【００３９】
次に、重畳映像表示モード時における制御用マイコン１８の制御処理の別の手順について、前出の図４、及び図６を参照して説明する。図６は、重畳映像表示モード時において、ＤＶＤプレーヤ４１の映像とＨＤＤレコーダ４２の映像とを組合せた重畳映像をディスプレイ１３に表示する際の制御用マイコン１８の制御処理の手順を示すフローチャートである。
【００４０】
まず、前出の図４に示すように、ＤＶＤプレーヤ４１から供給された映像と、ＨＤＤレコーダ４２から供給された映像とを含む重畳映像をディスプレイ１３に表示しているとき（Ｓ１１）、ユーザがリモコン２を操作することにより、映像選択カーソルＣを用いて、ＤＶＤプレーヤ４１から供給された映像、又はＨＤＤレコーダ４２から供給された映像のいずれかを選択する（Ｓ１２）。
【００４１】
上記Ｓ１２において、映像選択カーソルＣでＤＶＤプレーヤ４１の映像を選択した場合（Ｓ１３でＹＥＳ）、制御用マイコン１８は、音声選択出力部１８ｃを用いて、ＤＶＤプレーヤ４１から供給される音声のみをスピーカ１４から出力する（Ｓ１４）。そして、制御用マイコン１８は、ＨＤＭＩ通信部１８ｅを用いて、ＴＶ受像機１とＤＶＤプレーヤ４１との機器間認証等を行うことにより、ＣＥＣコマンドによるＨＤＭＩ通信の有効化処理を行う。すなわち、ＤＶＤプレーヤ４１をＣＥＣコマンドによる制御可能状態にする（Ｓ１５）。このとき、ＨＤＤレコーダ４２は、ＣＥＣコマンドによる制御可能状態ではない。
【００４２】
一方、上記Ｓ１２において、ユーザが、映像選択カーソルＣで、ＨＤＤレコーダ４２の映像を選択した場合（Ｓ１３でＮＯ、Ｓ１６）、制御用マイコン１８は、音声選択出力部１８ｃを用いて、ＨＤＤレコーダ４２から供給される音声のみをスピーカ１４から出力する（Ｓ１７）。そして、制御用マイコン１８は、ＨＤＭＩ通信部１８ｅを用いて、ＴＶ受像機１とＨＤＤレコーダ４２との機器間認証等を行うことにより、ＣＥＣコマンドによるＨＤＭＩ通信の有効化処理を行う。すなわち、ＨＤＤレコーダ４２をＣＥＣコマンドによる制御可能状態にする（Ｓ１８）。このとき、ＤＶＤプレーヤ４１は、ＣＥＣコマンドによる制御可能状態ではない。
【００４３】
上述したように、本実施形態に係るＴＶ受像機１においては、ＴＶ番組の映像と、ＤＶＤプレーヤ４１又はＨＤＤレコーダ４２のいずれかから供給された映像とを含む重畳映像がディスプレイ１３に表示されているときに、ＤＶＤプレーヤ４１又はＨＤＤレコーダ４２から供給された映像が、映像選択カーソルＣで選択された場合、選択された映像を供給するＤＶＤプレーヤ４１又はＨＤＤレコーダ４２から供給される音声のみをスピーカ１４から出力する。また、映像選択カーソルＣで選択された映像を供給するＤＶＤプレーヤ４１又はＨＤＤレコーダ４２を、ＣＥＣコマンドによる制御可能状態とする。
【００４４】
そのため、ＴＶ番組の映像と、ＤＶＤプレーヤ４１又はＨＤＤレコーダ４２の映像とを含む重畳映像をディスプレイ１３に表示している場合であっても、ユーザがＤＶＤプレーヤ４１又はＨＤＤレコーダ４２から供給された映像を選択するだけで、ＴＶ受像機１は、ＣＥＣコマンドを用いて、ＤＶＤプレーヤ４１又はＨＤＤレコーダ４２と通信（制御）できるため、ユーザは、ＤＶＤプレーヤ４１又はＨＤＤレコーダ４２を操作する際の手間を低減できる。
【００４５】
また、ＴＶ受像機１は、映像選択カーソルＣで、ＤＶＤプレーヤ４１又はＨＤＤレコーダ４２から供給された映像が選択されると、ＤＶＤプレーヤ４１又はＨＤＤレコーダ４２の音声をスピーカ１４から出力し、ＴＶ番組の映像が選択されると、このＴＶ番組の音声をスピーカ１４から出力する。そのため、ユーザは、同時に表示されている２つの映像のうちの所望の映像の音声を容易にスピーカ１４から出力させることができる。
【００４６】
また、ＴＶ受像機１は、ＤＶＤプレーヤ４１及びＨＤＤレコーダ４２のそれぞれから供給された映像を含む重畳映像がディスプレイ１３に表示されているときに、映像選択カーソルＣで、ＤＶＤプレーヤ４１及びＨＤＤレコーダ４２から供給される映像のうちの１つが選択された場合、選択された映像を供給するＤＶＤプレーヤ４１又はＨＤＤレコーダ４２のいずれかから供給される音声のみをスピーカ１４から出力する。また、映像選択カーソルＣで選択された映像を供給するＤＶＤプレーヤ４１又はＨＤＤレコーダ４２のいずれかを、ＣＥＣコマンドによる制御可能状態とする。
【００４７】
そのため、ＤＶＤプレーヤ４１及びＨＤＤレコーダ４２のそれぞれから供給される映像を含む重畳映像をディスプレイ１３に表示している場合であっても、ユーザが、いずれかの映像を選択するだけで、ＴＶ受像機１は、その映像を供給するＤＶＤプレーヤ４１又はＨＤＤレコーダ４２のいずれかと、ＣＥＣコマンドを用いて通信（制御）できるため、ユーザは、ＤＶＤプレーヤ４１又はＨＤＤレコーダ４２を操作する際の手間を低減できる。
【００４８】
また、ＴＶ受像機１は、映像選択カーソルＣで、ＤＶＤプレーヤ４１及びＨＤＤレコーダ４２から供給される映像のうちの１つが選択されると、選択された映像を供給するＤＶＤプレーヤ４１又はＨＤＤレコーダ４２から供給される音声のみをスピーカ１４から出力するため、ユーザは、同時に表示されている２つの映像のうちの所望の映像の音声を容易にスピーカ１４から出力させることができる。
【００４９】
また、ＴＶ受像機１、ＤＶＤプレーヤ４１、及びＨＤＤレコーダ４２は、ＨＤＭＩ−ＣＥＣ規格に従ったＣＥＣコマンドの送受信を行うので、独自プロトコルに対応した専用機器や専用ソフトウェア等の導入コストをかける必要がない。従って、ＴＶ受像機１の製造コストを抑制することができる。
【００５０】
なお、本発明は、上記実施形態の構成に限られず、発明の趣旨を変更しない範囲で種々の変形が可能である。例えば、上記実施形態において、請求項における映像音声出力機器がＤＶＤプレーヤ及びＨＤＤレコーダである場合の例を示したが、映像音声出力機器はこれに限られず、例えばブルーレイディスクプレーヤ等のＨＤＭＩ−ＣＥＣ規格に基づくＣＥＣコマンドを送受信可能であると共に、映像を外部出力可能である装置であればよい。また、ＴＶ受像機のディスプレイに表示可能な重畳映像は、３つ以上の映像を組合せたものであってもよい。
【符号の説明】
【００５１】
１  ＴＶ受像機
２  リモコン（映像選択手段）
１２  デジタルチューナ部（受信手段）
１３  ディスプレイ（表示手段）
１４  スピーカ（音声出力手段）
１８  制御用マイコン（制御手段）
１８ｅ  ＨＤＭＩ通信部（通信手段）
４１  ＤＶＤプレーヤ（映像音声出力機器）
４２  ＨＤＤレコーダ（映像音声出力機器）
【図１】
2012095122.tif 000003
【図２】
2012095122.tif 000004
【図３】
2012095122.tif 000005
【図４】
2012095122.tif 000006
【図５】
2012095122.tif 000007
【図６】
2012095122.tif 000008